(57)【要約】【課題】  ネットワークを介して接続された拠点間でメディアデータの通信を行う通信システムにおいて、拠点内のメディアデータの送信装置と受信装置とが異なるアドレスを所有している場合に通信を開始することが出来るようにする。【解決手段】  第一の受診装置のアドレスを第二の受信装置に送信し、第二の受信装置から第二の受診装置のアドレスを受信し、第一の受信装置と対応付けられた第一の送信装置に対して前記受信した第二の受診装置のアドレスに映像、音声データを送信する指示を行い、前記第二の受信装置に対応付けられた第二の送信装置から送信される映像、音声データを復号化する。【選択図】  図１
2010081279.tif 000002
【特許請求の範囲】
【請求項１】
ネットワークを介して映像、音声データを受信する受信装置において、
ネットワークを介してデータを送受信するネットワーク送受信部と、
前記ネットワーク送受信部で受信した映像データ及び音声データを復号化する復号化部と、
前記復号化部で復号化された映像データを出力する映像出力部と、
前記復号化部で復号化された音声データを出力する音声出力部と、
当該受信装置と対応付けられた送信装置のアドレスを記録する記録部と、
前記ネットワーク送受信部で他の受信装置のアドレスを受信すると、当該受信装置対応付けられた送信装置に対して当該他の受信装置のアドレスにデータを送信することを指示する制御部とを有する受信装置。
【請求項２】
ネットワークを介して映像、音声データを受信する受信装置において、
ネットワークを介してデータを送受信するネットワーク送受信部と、
前記ネットワーク送受信部で受信した映像データ及び音声データを復号化する復号化部と、
前記復号化部で復号化された映像データを出力する映像出力部と、
前記復号化部で復号化された音声データを出力する音声出力部と、
当該受信装置と対応付けられた送信装置のアドレスを記録する記録部と、
前記ネットワーク送受信部を介して前記受信装置のアドレスと前記記録部に記録された送信装置のアドレスとを他の受信装置に送信する制御部とを有する受信装置
【請求項３】
ネットワークを介して映像、音声データを受信する受信装置において、
ネットワークを介してデータを送受信するネットワーク送受信部と、
前記ネットワーク送受信部で受信した映像データ及び音声データを復号化する復号化部と、
前記復号化部で復号化された映像データを出力する映像出力部と、
前記復号化部で復号化された音声データを出力する音声出力部と、
当該受信装置と対応付けられた送信装置のアドレスを記録する記録部と、
当該受信装置に対応付けられた送信装置に対して当該受信装置のアドレスと当該送信装置のアドレスとを他の受信装置に送信することを指示する制御部とを有する受信装置。
【請求項４】
請求項１〜３のいずれかに記載の受信装置において、
前記映像出力部から出力された映像データを表示するディスプレイを有する受信装置。
【請求項５】
請求項１〜４のいずれかに記載の受信装置において、
前記音声出力部から出力された音声データを再生するスピーカを有する受信装置。
【請求項６】
第一の受信装置及び当該第一の受信装置に対応付けられた第一の送信装置と、第二の受信装置及び当該第二の受信装置に対応付けられた第二の送信装置とがネットワークで接続された送受信システムにおいて、
前記第一の受信装置及び第二の受信装置は、
前記ネットワークを介してデータを送受信するネットワーク送受信部と、
前記ネットワーク送受信部で受信した映像データ及び音声データを復号化する復号化部と、
前記復号化部で復号化された映像データを出力する映像出力部と、
前記復号化部で復号化された音声データを出力する音声出力部と、
当該受信装置に対応付けられた送信装置のアドレスを記録する記録部と、
当該受信装置を制御する制御部とを有し、
前記第一の送信装置及び第二の送信装置は、
映像、音声を符号化する符号化部と、
前記ネットワークを介して前記符号化部で符号化された映像、音声のデータを送信するネットワーク送信部と、
当該送信装置を制御する制御部とを有し、
前記第二の受信装置が前期第二の受信装置のネットワーク送受信部を介して前記第一の受信装置のアドレスを受信すると、前記第二の受信装置の制御部は前記第二の受信装置のネットワーク送受信部から第二の受信装置のアドレスを前記第一の受信装置へ送信し、
前記第一の受信装置が前記第一の受信装置のネットワーク送受信部を介して前記第二の受信装置のアドレス受信すると、前記第一の受信装置の制御部は前記第一の送信装置に前記第二の受診装置のアドレスに映像、音声のデータを送信する指示を行い、
前記第一の送信装置は前記第一の受信装置から前記第二の受診装置のアドレスに映像、音声データを送信する指示を受けると、前記第一の送信装置の符号化部で符号化した映像、音声のデータを前記第一の送信装置のネットワーク送信部を介して前記第二の受信装置に送信し、
前記第二の受信装置の制御部は前記第二の送信装置に対して前記第一の受信装置から受信した前期第一の受信装置のアドレスに映像、音声のデータを送信する指示を行い、
前記第二の送信装置は前記第二の受信装置から前記第一の受診装置のアドレスに映像、音声データを送信する指示を受けると、前記第二の送信装置の符号化部で符号化した映像、音声のデータを前記第二の送信装置のネットワーク送信部を介して前記第一の受信装置に送信する送受信システム。
【請求項７】
第一の受信装置及び当該第一の受信装置に対応付けられた第一の送信装置と、第二の受信装置及び当該第二の受信装置に対応付けられた第二の送信装置とがネットワークで接続された送受信システムにおいて、
前記第一の受信装置及び第二の受信装置は、
前記ネットワークを介してデータを送受信するネットワーク送受信部と、
前記ネットワーク送受信部で受信した映像データ及び音声データを復号化する復号化部と、
前記復号化部で復号化された映像データを出力する映像出力部と、
前記復号化部で復号化された音声データを出力する音声出力部と、
当該受信装置に対応付けられた送信装置のアドレスを記録する記録部と、
当該受信装置を制御する制御部とを有し、
前記第一の送信装置及び第二の送信装置は、
映像、音声を符号化する符号化部と、
前記ネットワークを介してデータを送受信するネットワーク送受信部と、
当該送信装置を制御する制御部とを有し、
前記第二の受信装置が前期第二の受信装置のネットワーク送受信部を介して前記第一の受信装置のアドレス及び前記第一の送信装置のアドレスを受信すると、前記第二の受信装置の制御部は前記第二の受信装置のネットワーク送受信部から第二の受信装置のアドレス及び前記第二の送信装置のアドレスを前記第一の受信装置へ送信し、
前記第一の受信装置が前記第一の受信装置のネットワーク送受信部を介して前記第二の受信装置のアドレス及び前記第二の送信装置のアドレスを受信すると、前記第一の受信装置の制御部は前記第一の送信装置に前記第二の受診装置のアドレスに映像、音声のデータを送信する許可を行い、
前記第一の送信装置は前記第一の送信装置のネットワーク送受信部を介して前記第二の受信装置から映像、音声データを送信する要求を受けると、前記第一の送信装置の符号化部で符号化した映像、音声のデータを前記第一の送信装置のネットワーク送受信部を介して前記第二の受信装置に送信し、
前記第二の受信装置の制御部は前記第二の送信装置に対して前記第一の受信装置から受信した前期第一の受信装置のアドレスに映像、音声のデータを送信する許可を行い、
前記第二の送信装置は前記第二の送信装置のネットワーク送受信部を介して前記第一の受信装置から映像、音声データを送信する要求を受けると、前記第二の送信装置の符号化部で符号化した映像、音声のデータを前記第二の送信装置のネットワーク送受信部を介して前記第一の受信装置に送信する送受信システム。
【請求項８】
請求項６または７に記載の送受信システムにおいて、
前記第一の受信装置及び前記第二の受信装置は、前記映像出力部から出力される映像データを表示するディスプレイを有する送受信システム。
【請求項９】
請求項６〜８のいずれかに記載の送受信システムにおいて、
前記第一の受信装置及び前記第二の受信装置は、前記音声出力部から出力された音声データを再生するスピーカを有する送受信システム。
【請求項１０】
ネットワークを介して映像、音声データを受信する受信方法において、
第一の受診装置のアドレスを第二の受信装置に送信し、
前記第二の受信装置から当該第二の受診装置のアドレスを受信し、
前記第一の受信装置と対応付けられた第一の送信装置に対して前記受信した第二の受診装置のアドレスに映像、音声データを送信する指示を行い、
前記第二の受信装置に対応付けられた第二の送信装置から送信される映像、音声データを復号化する受信方法。
【請求項１１】
ネットワークを介して映像、音声データを受信する受信方法において、
第一の受診装置のアドレス及び当該第一の受信装置に対応付けられた第一の送信装置のアドレスを第二の受信装置に送信し、
前記第二の受信装置から当該第二の受診装置のアドレス及び当該第二の受信装置に対応付けられた第二の送信装置のアドレスをを受信し、
前記第一の送信装置に対して前記受信した第二の受診装置のアドレスに映像、音声データを送信する許可を行い、
前記受信した第二の送信装置のアドレスに対して映像、音声データを送信する要求を行い、
前期第二の送信装置から送信される映像、音声データを復号化する受信方法。
【請求項１２】
請求項１０または１１に記載の受信方法において、
前記復号化した映像データをディスプレイに表示する受信方法。
【請求項１３】
請求項１０〜１２のいずれかに記載の受信方法において、
前記復号化した音声データをスピーカで再生する受信方法。
【発明の詳細な説明】
【技術分野】
【０００１】
技術分野は、通信制御方法、通信システム、送信装置、および受信装置に関する。
【背景技術】
【０００２】
ネットワークを介して、遠隔地の相手との間で音声や映像などのメディアデータをリアルタイムに通信するシステムが実用化されている。中でも、インターネットの普及に伴って、ＩＰ（インターネットプロトコル）ネットワーク上で音声通信を行い、電話機能を実現するＶｏＩＰ（Ｖｏｉｃｅ  ｏｖｅｒ  ＩＰ）やテレビ電話会議システムが実用化されている。
【０００３】
ＩＰネットワークによって接続された２拠点間で、メディアデータの通信を行う際に、端末同士でセッション（接続）を開始する手順の１つとして、非特許文献１に記載のＳＩＰ（Ｓｅｓｓｉｏｎ  Ｉｎｉｔｉａｔｉｏｎ  Ｐｒｏｔｏｃｏｌ）があり、広く使われている。
【０００４】
【非特許文献１】ＲＦＣ３２６１（http://www.ietf.org/rfc/rfc3261.txt）
【発明の開示】
【発明が解決しようとする課題】
【０００５】
上記ＳＩＰでは、一方の拠点に存在する通信装置は、映像や音声などのメディアデータの送信機能と受信機能を一つの装置で兼ね備えている場合が一般的である。例えばＩＰ電話機の場合一つの装置で音声の受話機能と送話機能を兼ね備えている。そのような場合、電話機をネットワーク上で一意に特定するアドレス（ＩＰアドレスなど）は、上記ＩＰ電話機１台につき１つあれば、当該ＩＰ電話機が発信元および受信先のいずれとして使用された場合でも識別のためのアドレスとして使用することが出来る（なおここで言うアドレスとは、ＩＰアドレスに限らず、ＵＲＩ（Ｕｎｉｆｏｒｍ  Ｒｅｓｏｕｒｃｅ  Ｉｄｅｎｔｉｆｉｅｒ）やそれらに関連するポート番号などのように、当該機器への接続先を一意に特定できる識別子を含む）。
【０００６】
そのため、ＳＩＰにおいても通信を行う拠点一つに付き、メディアデータの送受信を行うアドレスは１つだけという前提にたってプロトコルが設計されている。
【０００７】
一方で、近年、ＴＶやビデオカメラなどのＡＶ機器のネットワーク対応が進んでおり、これらの機器を用いてネットワークを介して映像や音声などのデータを送って楽しむことができるようになってきている。
【０００８】
そこで例えばネットワーク対応のＴＶをメディアデータの受信装置として使用し、ネットワーク対応のビデオカメラをメディアデータの送信装置として使用し、これらの機器を組み合わせて通信システムとして使用することにより、あたかも一拠点に設置した１台のメディアデータの送受信装置として利用することが考えられる。この場合、上記ＴＶとビデオカメラは、それぞれ独立した機器であるため、ネットワークのアドレスも別々に割り当てられている。
【０００９】
しかしながらＳＩＰに代表される従来のセッション開始手順では、この場合のようにメディアデータの送信装置と受信装置とが異なるアドレスを所有している場合について考慮されておらず、通信を開始することが出来ない場合があるという問題がある。
【課題を解決するための手段】
【００１０】
上記課題を解決するため、本発明の一実施の態様は、第一の受診装置のアドレスを第二の受信装置に送信し、第二の受信装置から第二の受診装置のアドレスを受信し、第一の受信装置と対応付けられた第一の送信装置に対して前記受信した第二の受診装置のアドレスに映像、音声データを送信する指示を行い、前記第二の受信装置に対応付けられた第二の送信装置から送信される映像、音声データを復号化する。
【発明の効果】
【００１１】
上記手段によれば、メディアデータの送信装置と受信装置とが異なるアドレスを所有している場合でも通信を開始することを可能にした。
【発明を実施するための最良の形態】
【００１２】
以下、実施例について説明する。
【実施例１】
【００１３】
図２は実施例１における映像および音声のメディアデータの送受信を行うメディアデータ通信システムを示す。拠点Ａと拠点Ｂの２つの拠点がある。
【００１４】
拠点Ａには受信装置１１としてＴＶおよび送信装置１２としてビデオカメラが設置され、これらは互いにネットワーク１３で接続されている。受信装置１１にはアドレスＡ１が、送信装置１２にはアドレスＡ２がそれぞれ割り当てられている。
【００１５】
同様に、拠点Ｂには受信装置２１としてＴＶおよび送信装置２２としてビデオカメラが設置され、これらは互いにネットワーク２３で接続されている。受信装置２１にはアドレスＢ１が、送信装置２２にはアドレスＢ２がそれぞれ割り当てられている。
【００１６】
さらに拠点Ａのネットワーク１３および拠点Ｂのネットワーク２３の間はネットワーク３を介して接続されている。
【００１７】
また、通信を行う前に各拠点内で機器同士のグルーピング設定を行っておく。例えば拠点Ａにおいては、受信装置１１のアドレスＡ１を送信装置１２に登録し、また送信装置１２のアドレスＡ２を受信装置１１に登録する。このようにして、送信装置１１および受信装置１２は同一拠点内の関連付けられた機器として互いを認識する。同様にして、拠点Ｂにおける受信装置２１と送信装置２２についてもグルーピング設定を実施しておく。
【００１８】
次に、受信装置１１、２１の構成について説明する。図１１に受信装置１１、２１の構成図を示す。受信装置１１、２１は、内部にネットワーク送受信部１１１、メディア復号化部１１２、表示部１１３、スピーカ１１４、制御部１１５、ＵＩ処理部１１６、およびグルーピング登録部１１７を備える。
【００１９】
ネットワーク送受信部１１１は、受信装置１１、２１の外部のネットワークに接続されており、制御部１１５の指示に基づき、メッセージやメディアデータの送受信処理を行う。ネットワーク送受信部１１１で受信したメディアデータは、メディア復号化部１１２に送られる。
【００２０】
メディア復号化部１１２では、ネットワーク送受信部１１２からメディアデータを受け取り、制御部１１５の指示に基づいて、映像および音声の復号化処理を行う。メディア復号化部１１２で復号化された映像は、表示部１１３を介して表示される。また、メディア復号化部１１２で復号化された音声は、スピーカ１１４を介して出力される。
【００２１】
制御部１１５は、通信処理を行うために必要な状態遷移を管理しており、ネットワーク送受信部１１１、メディア復号化部１１２およびＵＩ処理部１１６の動作を制御する。
【００２２】
また、制御部１１５は、外部装置への送信メッセージを作成し、ネットワーク送受信部１１１を介して送信する。また、制御部１１５は、ネットワーク送受信部１１１を介して外部装置からの受信メッセージを受信し、解釈し、その内容に基づいて上記制御を行う。
【００２３】
ＵＩ処理部１１６は、ユーザインターフェイスの処理を行う。すなわち、ユーザからの発信、切断、受信操作などの入力操作を受け付け、その内容を制御部１１６に通知する。また、制御部１１５からの指示に基づき、表示部１１３および／またはスピーカ１１４を介して、ユーザに対して着信通知等の出力を行う。
【００２４】
グルーピング登録部１１７は、拠点内でグルーピング設定された送信装置のアドレスを保持する。本実施例の場合を例に取ると、送信装置１２のアドレスＡ２や送信装置２２のアドレスＢ２がグルーピング登録部１１７に登録される。登録された送信装置のアドレスは必要に応じ制御部１１５に対し出力する。
【００２５】
なお、受信装置１１、２１は必ずしも表示部１１３やスピーカ１１４を備える必要は無く、外部の表示装置や外部のスピーカに映像データや音声データを出力する構成でもよい。
【００２６】
次に送信装置１２、２２の構成について説明する。図１２に送信装置１２、２２の構成図を示す。送信装置１２、２２は、内部に撮像処理部１２１、マイク１２２、メディア復号化部１２３、ネットワーク送受信部１２４、制御部１２５、グルーピング登録部１２６、ＵＩ処理部１２７、表示部１２８、記録再生部１２９、メディア復号化部１２１０、記録媒体１２１１、スピーカ１２１２を備える。
【００２７】
撮像処理部１２１は、内部にレンズおよび撮像素子を備え、映像の撮像を行ってその内容をメディア符号化部１２３に送る。マイク１２２は、音声の入力を行い、その内容をメディア符号化部１２３に送る。
【００２８】
メディア符号化部１２３は、撮像処理部１２１およびマイク１２２からそれぞれ映像および音声を受け取り、制御部１２５の指示に基づいて、該映像および音声をメディアデータに符号化処理する。符号化されたメディアデータはネットワーク送受信部１２４に送られる。
【００２９】
ネットワーク送受信部１２４は、送信装置１２、２２の外部のネットワークに接続されており、制御部１２５の指示に基づき、メッセージやメディアデータの送受信処理を行う。メディア符号化部１２３から受け取ったメディアデータは、ネットワーク送受信部１２４を介して外部のネットワークに送信される。
【００３０】
制御部１２５は、通信処理を行うために必要な状態遷移を管理しており、ネットワーク送受信部１２４およびメディア符号化部１２３の動作を制御する。
【００３１】
また、制御部１２５は、外部装置への送信メッセージを作成し、ネットワーク送受信部１２４を介して送信する。また、制御部１２５は、ネットワーク送受信部１２４を介して外部装置からの受信メッセージを受信し、解釈し、その内容に基づいて上記制御を行う。
【００３２】
グルーピング登録部１２６は、拠点内でグルーピング設定された受信装置のアドレスを保持する。本実施例の場合を例に取ると、受信装置１１のアドレスＡ１や受信装置２１のアドレスＡ２がグルーピング登録部１２６に登録される。登録された受信装置のアドレスは必要に応じ制御部１２５に対し出力する。
【００３３】
なお本送信装置１２は、ビデオカメラとしての機能も有しており、撮影した映像および音声の記録・再生を行うことも可能である。記録・再生を行う場合の動作を以下に説明する。
【００３４】
映像の記録を行う場合は、ＵＩ処理部１２７において、ユーザから記録開始の指示を受け、その内容が制御部１２５に伝えられる。制御部１２５は、ＵＩ処理部１２７からの情報に基づき、メディア符号化部１２３および記録再生部１２９に対し、映像の記録を行うための指示を行う。
【００３５】
メディア符号化部１２３は、符号化した上記メディアデータを、制御部１２５からの指示に基づき、記録再生部１２９に送る。記録再生部１２９は、制御部１２５からの指示に基づき、メディア符号化部１２３から受け取ったメディアデータを、記録媒体１２１１に記録する。
【００３６】
また、記録された映像の再生を行う場合には、ＵＩ処理部１２７において、ユーザから再生開始の指示を受け、その内容が制御部１２５に伝えられる。制御部１２５は、ＵＩ処理部１２７からの情報に基づき、メディア復号化部１２１０および記録再生部１２９に対し、映像の再生を行うための指示を行う。
【００３７】
記録再生部１２９は、制御部１２５からの指示に基づき、記録媒体１２１１から記録されたメディアデータを読み出し、メディア復号化部１２１０に送る。メディア復号化部１２１０は、記録再生部１２９から上記メディアデータを受け取り、制御部１２５からの指示に基づいて、映像および音声の復号化処理を行う。メディア復号化部１２１０で復号化された映像は、表示部１２８を介して表示される。また、メディア復号化部１２１０で復号化された音声は、スピーカ１２１２を介して出力される。
【００３８】
次に、図１を用いて本実施例におけるセッションの開始手順を説明する。ここでは拠点Ａを発信側拠点、拠点Ｂを着信側拠点として説明する。ここに示される処理は、受信装置、送信装置の制御部１１５、１２５が装置内の各部を制御することにより実現される。
【００３９】
通信を開始する前は、受信装置１１、送信装置１２、送信装置２２、および受信装置２１の各装置は、「ＩＤＬＥ状態」（待機状態）となっている。
【００４０】
ここで、拠点ＡのユーザＵＡがＴＶである受信装置１１に対し、発信先としてＢ１を指定して発信操作を行う。受信装置１１は、ユーザＵＡの発信操作を受けて、受信装置２１に対して、通信の開始を要求するＩＮＶＩＴＥメッセージを送出する。このＩＮＶＩＴＥメッセージには、発信元である拠点Ａ側のメディアデータの受信アドレスとして、受信装置１１のアドレス情報（Ａ１）を含めて送信する。
【００４１】
拠点Ｂ側の受信装置２１では、上記ＩＮＶＩＴＥメッセージを受け取り、拠点Ａからの通信開始要求を認識する。これを受け、受信装置２１では、音や画面表示等により、拠点ＢのユーザＵＢに着信を知らせるとともに、受話操作を促す。
【００４２】
なおこの際、受信装置２１は受信装置１１に対し、呼び出し中であることを示すＴｒｙｉｎｇあるいはＲｉｎｇｉｎｇメッセージを通知しても良い。この場合、受信装置１１に対して通知されたＴｒｙｉｎｇあるいはＲｉｎｇｉｎｇメッセージにより受信装置１１が呼び出し中であることをユーザに通知（表示画面に表示する、音声により通知する等）するようにしてもよい。
【００４３】
ユーザＵＢが受話操作を行って、着信を許可すると、受信装置２１は「接続中状態」に移行する。さらに受信装置２１は、着信を承諾するＯＫメッセージを受信装置１１に対して送信する。このＯＫメッセージには着信側である拠点Ｂ側のメディアデータの受信アドレスとして、受信装置２１のアドレス情報（Ｂ１）を含めて送信する。
【００４４】
さらに、受信装置２１は、送信装置２２に対し、メディアデータの送信を開始する指示を与える。この送信開始指示には、メディアデータの送信先である受信装置１１のアドレス情報Ａ１を含めて指示する。なお、図１においては受話操作を行って受信装置１１に対してＯＫメッセージを送信した後に送信装置２２に対してメディアデータの送信開始指示を与えているが、送信装置２２に対してメディアデータの送信開始指示を与えた後に受信装置１１に対してＯＫメッセージを送信してもよいし、これらを同時に行ってもよい。
【００４５】
受信装置１１は、受信装置２１からＯＫメッセージを受け取ると、「接続中状態」に移行する。さらに受信装置１１は、送信装置１２に対し、メディアデータの送信開始指示を与える。この送信開始指示には、メディアデータの送信先である受信装置２１のアドレス情報Ｂ１を含めて指示する。
【００４６】
送信装置１２は、受信装置１１からメディアデータの送信開始指示を受け取ると、「接続中状態」に移行する。さらに送信装置１２は、内蔵のカメラおよびマイクによって映像および音声を撮影し、符号化したメディアデータを、アドレスＢ１に対し、送出を開始する。
【００４７】
受信装置２１は、送信装置１２から送信されたメディアデータを受信し、復号化した映像および音声を出力する。
【００４８】
送信装置２２は、受信装置２１からメディアデータの送信開始指示を受け取ると、「接続中状態」に移行する。さらに送信装置２２は、内蔵のカメラおよびマイクによって映像および音声を撮影し、符号化したメディアデータを、アドレスＡ１に対し、送出を開始する。
【００４９】
受信装置１１は、送信装置２２から送信されたメディアデータを受信し、復号化した映像および音声を出力する。
【００５０】
次に図３を用いて本実施例におけるセッションの切断手順を説明する。ここに示される処理は、受信装置、送信装置の制御部１１５、１２５が装置内の各部を制御することにより実現される。
【００５１】
図３においては、既にセッションが開始されており、受信装置１１、送信装置１２、送信装置２２、および受信装置２１の各装置は、「接続中状態」となっている。ここで、拠点ＡのユーザＵＡが受信装置１１に対して、通信の切断の操作を行う。
【００５２】
受信装置１１は、ユーザの操作に基づいて、送信装置２２からのメディアデータ受信を中断する。さらに受信装置１１は、送信装置１２に対し、メディアデータ送信を中断する指示を出す。
【００５３】
送信装置１２は、受信装置１１からメディアデータ送信中断の指示を受けると、受信装置２１へのメディアデータ送出を停止する。
【００５４】
さらに受信装置１１は、受信装置２１に対し、セッションの切断を要求するＢＹＥメッセージを送出する。
【００５５】
なお、図３においては受信装置１１のメディアデータの受信を中断した後に受信装置１１が送信装置１２のメディアデータの送信を中断する指示を出し、さらにその後受信装置２１に対してＢＹＥメッセージを送出しているが、これら３つの処理の順番はこれに限定されず、３つの処理が同時に行われてもよい。
【００５６】
受信装置２１は、受信装置１１からＢＹＥメッセージを受け取ると、「ＩＤＬＥ状態」に移行する。さらに受信装置２１は、送信装置２２に対し、ＩＤＬＥ状態への移行指示を出す。なお、上記では受信装置２１が「ＩＤＬＥ状態」に移行した後に送信装置２２に対しＩＤＬＥ状態への移行指示を出しているが、受信装置２１が送信装置２２に対しＩＤＬＥ状態への移行指示を出した後に受信装置２１が「ＩＤＬＥ状態」に移行してもよいし、これらの処理を同時に行ってもよい。
【００５７】
送信装置２２は、ＩＤＬＥ状態への移行指示を受信装置２１から受け取ると、「ＩＤＬＥ状態」へと移行する。
【００５８】
さらに受信装置２１は、受信装置１１に対し、切断を承認するＯＫメッセージを送信する。
【００５９】
受信装置１１は、受信装置２１からＯＫメッセージを受け取ると、「ＩＤＬＥ状態」に移行する。さらに受信装置１１は、送信装置１２に対し、ＩＤＬＥ状態への移行指示を出す。なお、受信装置１１は送信装置１２に対しＩＤＬＥ状態への移行指示を出した後に「ＩＤＬＥ状態」に移行してもよいし、これらの処理を同時に行ってもよい。
【００６０】
送信装置１２は、ＩＤＬＥ状態への移行指示を受信装置２１から受け取ると、「ＩＤＬＥ状態」へと移行する。
【００６１】
なお、図３では拠点Ａ側から切断した場合を説明したが、拠点Ｂ側から切断した場合でもＡとＢが逆の立場で動作する以外は、同様である。
【００６２】
このように、本実施例によると、異なるアドレスＡ１，Ａ２，Ｂ１，Ｂ２を持つ複数の機器を用いて、メディアデータの送受信を行うセッションを開始または切断することが可能である。さらに本実施例によると、上記複数の機器の状態遷移（ＩＤＬＥ状態、接続中状態）に整合性を持たせることが可能であり、正常に通信の開始や切断を行わせることが可能である。
【００６３】
なお上記実施例においてメディアデータとして映像および音声の符号化データの送受信の例を示したが、音声のみ、あるいは映像のみでもよい。また映像・音声以外のデータ送受信であっても同様の手順により利用可能である。
【実施例２】
【００６４】
以下に第２の実施例を説明する。第１の実施例との同様の部分については説明を省略する。図４に本実施例における映像および音声のメディアデータの送受信を行うメディアデータ通信システムを示す。第１の実施例との違いは、拠点Ｂの装置の構成である。すなわち、本実施例ではメディアデータの受信機能および送信機能が単一の送受信装置２４により実現されている。該送受信装置２４にはアドレスＢ１が割り当てられており、宅内ネットワーク２３に接続されている。
【００６５】
さらに拠点Ａのネットワーク１３および拠点Ｂのネットワーク２３の間はネットワーク３を介して接続されている。
【００６６】
次に、送受信装置２４の構成について説明する。図１３に送受信装置２４の構成図を示す。送受信装置２４は、内部にネットワーク送受信部１１１、メディア復号化部１１２、表示部１１３、スピーカ１１４、制御部１１５、ＵＩ処理部１１６、グルーピング登録部１１７、撮像処理部１２１、マイク１２２、メディア復号化部１２３を備える。
【００６７】
送受信装置２４は、実施例１の受信装置１１、２１の機能と送信装置１２、２２のメディアデータ送信機能を併せ持った装置である。メディアデータの受信に関する動作は、受信装置１１と同様であり、説明を省略する。
【００６８】
次に、メディアデータの送信に関する動作を説明する。
【００６９】
撮像処理部１２１は、内部にレンズおよび撮像素子を備え、映像の撮像を行ってその内容をメディア符号化部１２３に送る。マイク１２２は、音声の入力を行い、その内容をメディア符号化部１２３に送る。
【００７０】
メディア符号化部１２３は、撮像処理部１２１およびマイク１２２からそれぞれ映像および音声を受け取り、制御部１１５の指示に基づいて、該映像および音声をメディアデータに符号化処理する。符号化されたメディアデータはネットワーク送受信部１１１に送られる。
【００７１】
ネットワーク送受信部１１１は、送受信装置２４の外部のネットワークに接続されており、制御部１１５の指示に基づき、メッセージやメディアデータの送受信処理を行う。メディア符号化部１２３から受け取ったメディアデータは、ネットワーク送受信部１１１を介して外部のネットワークに送信される。
【００７２】
制御部１２５は、通信処理を行うために必要な状態遷移を管理しており、ネットワーク送受信部１１１およびメディア符号化部１２３の動作を制御する。
【００７３】
また、制御部１１５は、外部装置への送信メッセージを作成し、ネットワーク送受信部１１１を介して送信する。また、制御部１１５は、ネットワーク送受信部１１１を介して外部装置からの受信メッセージを受信し、解釈し、その内容に基づいて上記制御を行う。
【００７４】
次に、図５を用いて本実施例におけるセッションの開始手順を説明する。ここでは、拠点Ａを発信側拠点、拠点Ｂを着信側拠点として説明する。ここに示される処理は、受信装置、送信装置、送受信装置の制御部１１５、１２５が装置内の各部を制御することにより実現される。
【００７５】
通信を開始する前は、受信装置１１、送信装置１２、および送信受信装置２４の各装置は、「ＩＤＬＥ状態」（待機状態）となっている。
【００７６】
ここで、拠点ＡのユーザＵＡがＴＶである受信装置１１に対し、発信先としてＢ１を指定して発信操作を行う。受信装置１１は、ユーザＵＡの発信操作を受けて、送受信装置２４に対して、通信の開始を要求するＩＮＶＩＴＥメッセージを送出する。このＩＮＶＩＴＥメッセージには、発信元である拠点Ａ側のメディアデータの受信アドレスとして、受信装置１１のアドレス情報（Ａ１）を含めて送信する。
【００７７】
拠点Ｂ側の送受信装置２４では、上記ＩＮＶＩＴＥメッセージを受け取り、拠点Ａからの通信開始要求を認識する。これを受け、送受信装置２４では、音や画面表示により、拠点ＢのユーザＵＢに着信を知らせるとともに、受話操作を促す。
【００７８】
ユーザＵＢが受話操作を行って、着信を許可すると、送受信装置２４は「接続中状態」に移行する。さらに送受信装置２４は、着信を承諾するＯＫメッセージを受信装置１１に対して送信する。このＯＫメッセージには着信側である拠点Ｂ側のメディアデータの受信アドレスとして、送受信装置２４のアドレス情報（Ｂ１）を含めて送信する。なお、「接続中状態」への移行とＯＫメッセージの受信装置１１への送信との順番はこれに限られず、これらが同時に行われてもよい。
【００７９】
受信装置１１は、送受信装置２４からＯＫメッセージを受け取ると、「接続中状態」に移行する。さらに受信装置１１は、送信装置１２に対し、メディアデータの送信を開始する指示を与える。この送信開始指示には、メディアデータの送信先である送受信装置２４のアドレス情報Ｂ１を含めて指示する。なお、「接続中状態」への移行と送信装置１２に対するメディアデータの送信開始指示との順番はこれに限られず、これらが同時に行われてもよい。
【００８０】
送信装置１２は、受信装置１１からメディアデータの送信開始指示を受け取ると、「接続中状態」に移行する。さらに送信装置１２は、内蔵のカメラおよびマイクによって映像および音声を撮影し、符号化したメディアデータを、アドレスＢ１に対し、送出を開始する。
【００８１】
送受信装置２４は、送信装置１２から送信されたメディアデータを受信し、復号化した映像および音声を出力する。
【００８２】
さらに送受信装置２４は、内蔵のカメラおよびマイクによって映像および音声を撮影し、符号化したメディアデータを、アドレスＡ１に対し、送出を開始する。なお、送信装置２４における送信装置１２から送信されたメディアデータの受信と受信装置１１へのメディアデータの送出との順番はこれに限られず、これらが同時に行われてもよい。
【００８３】
受信装置１１は、送受信装置２４から送信されたメディアデータを受信し、復号化した映像および音声を出力する。
【００８４】
次に、拠点Ｂを発信側拠点、拠点Ａを着信側拠点とした場合のセッションの開始手順を、図６を用いて説明する。ここに示される処理は、受信装置、送信装置、送受信装置の制御部１１５、１２５が装置内の各部を制御することにより実現される。
【００８５】
通信を開始する前は、受信装置１１、送信装置１２、および送信受信装置２４の各装置は、「ＩＤＬＥ状態」（待機状態）となっている。
【００８６】
ここで、拠点ＢのユーザＵＢが送受信装置２４に対し、発信先としてＡ１を指定して発信操作を行う。送受信装置２４は、ユーザＵＢの発信操作を受けて、受信装置１１に対して、通信の開始を要求するＩＮＶＩＴＥメッセージを送出する。このＩＮＶＩＴＥメッセージには、発信元である拠点Ｂ側のメディアデータの受信アドレスとして、送受信装置２４のアドレス情報（Ｂ１）を含めて送信する。
【００８７】
拠点Ａ側の受信装置１１では、上記ＩＮＶＩＴＥメッセージを受け取り、拠点Ｂからの通信開始要求を認識する。これを受け、受信装置１１では、音や画面表示により、拠点ＡのユーザＵＡに着信を知らせるとともに、受話操作を促す。
【００８８】
ユーザＵＡが受話操作を行って、着信を許可すると、受信装置１１は「接続中状態」に移行する。さらに受信装置１１は、着信を承諾するＯＫメッセージを送受信装置２４に対して送信する。このＯＫメッセージには着信側である拠点Ａ側のメディアデータの受信アドレスとして、受信装置１１のアドレス情報（Ａ１）を含めて送信する。
【００８９】
さらに、受信装置１１は、送信装置１２に対し、メディアデータの送信を開始する指示を与える。この送信開始指示には、メディアデータの送信先である送受信装置２４のアドレス情報Ｂ１を含めて指示する。なお、「接続中状態」への移行とＯＫメッセージの送受信装置２４への送信と送信装置１２に対するメディアデータ送信開始指示との順番はこれに限られず、これらが同時に行われてもよい。
【００９０】
送受信装置２４は、受信装置１１からＯＫメッセージを受け取ると、「接続中状態」に移行する。
【００９１】
さらに送受信装置２４は、内蔵のカメラおよびマイクによって映像および音声を撮影し、符号化したメディアデータを、アドレスＡ１に対し、送出を開始する。なお、「接続中状態」への移行と受信装置１１へのメディアデータの送信との順番はこれに限られず、これらが同時に行われてもよい。
【００９２】
受信装置１１は、送受信装置２４から送信されたメディアデータを受信し、復号化した映像および音声を出力する。
【００９３】
送信装置１２は、受信装置１１からメディアデータの送信開始指示を受け取ると、「接続中状態」に移行する。さらに送信装置１２は、内蔵のカメラおよびマイクによって映像および音声を撮影し、符号化したメディアデータを、アドレスＢ１に対し、送出を開始する。なお、「接続中状態」への移行と送受信装置２４へのメディアデータの送信との順番はこれに限られず、これらが同時に行われてもよい。
【００９４】
図６では送信装置１２から送受信装置２４へのメディアデータの送信が行われた後に送受信装置２４から受信装置１１へのメディアデータの送信が行われているが、これらの順番はこれに限られず、これらが同時に行われてもよい。
【００９５】
次に図７を用いて本実施例におけるセッションの切断手順を説明する。ここに示される処理は、受信装置、送信装置、送受信装置の制御部１１５、１２５が装置内の各部を制御することにより実現される。
【００９６】
図７では既にセッションが開始されており、受信装置１１、送信装置１２、送信装置２２、および受信装置２１の各装置は、「接続中状態」となっている。ここで、拠点ＡのユーザＵＡが受信装置１１に対して、通信の切断の操作を行う。
【００９７】
受信装置１１は、ユーザの操作に基づいて、送受信装置２４からのメディアデータ受信を中断する。さらに受信装置１１は、送信装置１２に対し、メディアデータ送信中断の指示を出す。
【００９８】
送信装置１２は、受信装置１１からメディアデータ送信中断の指示を受けると、送受信装置２４へのメディアデータの送出を停止する。さらに受信装置１１は、送受信装置２４に対し、セッションの切断を要求するＢＹＥメッセージを送出する。なお、送受信装置２４へのメディアデータの送出の停止と送受信装置２４に対するＢＹＥメッセージの送出との順番はこれに限定されず、同時に行われてもよい。
【００９９】
送受信装置２４は、受信装置１１からＢＹＥメッセージを受け取ると、「ＩＤＬＥ状態」に移行し、受信装置１１に対し、切断を承認するＯＫメッセージを送信する。なお、「ＩＤＬＥ状態」への移行と切断を承認するＯＫメッセージの送信との順番はこれに限られず、これらが同時に行われてもよい。
【０１００】
受信装置１１は、送受信装置２４からＯＫメッセージを受け取ると、「ＩＤＬＥ状態」に移行する。さらに受信装置１１は、送信装置１２に対し、ＩＤＬＥ状態への移行指示を出す。なお、「ＩＤＬＥ状態」への移行と送信装置１２に対するＩＤＬＥ状態への移行指示との順番はこれに限られず、これらが同時に行われてもよい。
【０１０１】
次に、拠点Ｂの側から通信の切断の操作を行う場合のセッションの切断手順を、図８を用いて説明する。ここに示される処理は、受信装置、送信装置、送受信装置の制御部１１５、１２５が装置内の各部を制御することにより実現される。
【０１０２】
図８では既にセッションが開始されており、受信装置１１、送信装置１２、送信装置２２、および受信装置２１の各装置は、「接続中状態」となっている。ここで、拠点ＢのユーザＵＢが送受信装置２４に対して、通信の切断の操作を行う。
【０１０３】
送受信装置２４は、ユーザの操作に基づいて、送信装置１２からのメディアデータの受信及び受信装置１１へのメディアデータの送信を中断し、受信装置１１に対し、セッションの切断を要求するＢＹＥメッセージを送出する。なお、メディアデータの送受信の中断と受信装置１１へのＢＹＥメッセージの送出との順番はこれに限られず、これらが同時に行われてもよい。
【０１０４】
受信装置１１は、送受信装置２４からＢＹＥメッセージを受け取ると、「ＩＤＬＥ状態」に移行し、送信装置１２に対し、ＩＤＬＥ状態への移行指示を出す。
【０１０５】
送信装置１２は、ＩＤＬＥ状態への移行指示を受信装置１１から受け取ると、「ＩＤＬＥ状態」へと移行する。
【０１０６】
さらに受信装置１１は、送受信装置２４に対し、切断を承認するＯＫメッセージを送信する。なお、受信装置１１の「ＩＤＬＥ状態」への移行と、送信装置１２に対するＩＤＬＥ状態への移行指示と、送受信装置２４に対するＯＫメッセージの送信との順番はこれに限られず、これらが同時に行われてもよい。
【０１０７】
送受信装置２４は、受信装置１１からＯＫメッセージを受け取ると、「ＩＤＬＥ状態」に移行する。
【０１０８】
このように、本実施例によると、拠点の一方がメディアデータの受信機能および送信機能が単一の送受信装置により実現され、該送受信装置に単一のアドレスＢ１が割り当てられている場合においても、第１の実施例と同様の効果を得ることが可能である。
【実施例３】
【０１０９】
以下に第３の実施例を説明する。本実施例において、機器の構成は第１の実施例と同様であり、図２に示す通りである。以下、第１の実施例との同様の部分については説明を省略する。
【０１１０】
第１の実施例との違いは、接続が確立したあとのメディアデータの転送を、受信装置側からの要求に応じて送信装置側が転送する点にある。以下、図９を用いて本実施例によるセッションの開始手順を説明する。ここでは、拠点Ａを発信側拠点、拠点Ｂを着信側拠点として説明する。ここに示される処理は、受信装置、送信装置の制御部１１５、１２５が装置内の各部を制御することにより実現される。
【０１１１】
通信を開始する前は、受信装置１１、送信装置１２、送信装置２２、および受信装置２１の各装置は、「ＩＤＬＥ状態」（待機状態）となっている。
【０１１２】
ここで、拠点ＡのユーザＵＡがＴＶである受信装置１１に対し、発信先としてＢ１を指定して発信操作を行う。受信装置１１は、ユーザＵＡの発信操作を受けて、受信装置２１に対して、通信の開始を要求するＩＮＶＩＴＥメッセージを送出する。このＩＮＶＩＴＥメッセージには、発信元である拠点Ａ側のメディアデータの受信アドレスとして受信装置１１のアドレス情報（Ａ１）、および拠点Ａ側のメディアデータの送信アドレスとして送信装置１２のアドレス（Ａ２）をそれぞれ含めて送信する。
【０１１３】
拠点Ｂ側の受信装置２１では、上記ＩＮＶＩＴＥメッセージを受け取り、拠点Ａからの通信開始要求を認識する。これを受け、受信装置２１では、音や画面表示により、拠点ＢのユーザＵＢに着信を知らせるとともに、受話操作を促す。
【０１１４】
なおこの際、受信装置２１は受信装置１１に対し、呼び出し中であることを示すＴｒｙｉｎｇあるいはＲｉｎｇｉｎｇメッセージを通知しても良い。この場合、送信装置１１に対して通知されたＴｒｙｉｎｇあるいはＲｉｎｇｉｎｇメッセージにより受信装置１１が呼び出し中であることをユーザに通知（表示画面に表示する、音声により通知する等）するようにしてもよい。
【０１１５】
ユーザＵＢが受話操作を行って、着信を許可すると、受信装置２１は「接続中状態」に移行する。さらに受信装置２１は、着信を承諾するＯＫメッセージを受信装置１１に対して送信する。このＯＫメッセージには着信側である拠点Ｂ側のメディアデータの受信アドレスとして受信装置２１のアドレス情報（Ｂ１）、および拠点Ｂ側のメディアデータの送信アドレスとして送信装置２２のアドレス（Ｂ２）をそれぞれ含めて送信する。
【０１１６】
さらに、受信装置２１は、送信装置２２に対し、メディアデータの送信を許可する指示を与える。なお、このＯＫメッセージの送信と送信装置２２に対するメディアデータの送信を許可する指示との順番はこれに限られず、同時に行われてもよい。
【０１１７】
受信装置１１は、受信装置２１からＯＫメッセージを受け取ると、「接続中状態」に移行する。さらに受信装置１１は、送信装置１２に対し、メディアデータの送信を許可する指示を与える。なお、この「接続中状態」への移行と送信装置１２に対するメディアデータの送信を許可する指示との順番はこれに限られず、同時に行われてもよい。
【０１１８】
送信装置１２は、受信装置１１からメディアデータの送信許可指示を受け取ると、「接続中状態」に移行する。
【０１１９】
受信装置２１は、上記ＩＮＶＩＴＥメッセージに含まれる送信装置１２のアドレスＡ２に対し、メディアデータ送信要求を送る。
【０１２０】
送信装置１２は、「接続中状態」に移行後に、受信装置２１からのメディアデータ送信要求を受け取ると、内蔵のカメラおよびマイクによって映像および音声を撮影し、符号化したメディアデータを、受信装置２１に対し、送出を開始する。
【０１２１】
受信装置２１は、送信装置１２から送信されたメディアデータを受信し、復号化した映像および音声を出力する。
【０１２２】
一方送信装置２２は、受信装置２１からメディアデータの送信許可指示を受け取ると、「接続中状態」に移行する。
【０１２３】
受信装置１１は、上記ＯＫメッセージに含まれる送信装置２２のアドレスＢ２に対し、メディアデータ送信要求を送る。
【０１２４】
送信装置２２は、「接続中状態」に移行後に、受信装置１１からのメディアデータ送信要求を受け取ると、内蔵のカメラおよびマイクによって映像および音声を撮影し、符号化したメディアデータを、受信装置１１に対し、送出を開始する。
【０１２５】
受信装置１１は、送信装置２２から送信されたメディアデータを受信し、復号化した映像および音声を出力する。
【０１２６】
なお、図９では送信装置１２と受信装置２１との間でのメディアデータの送受信が開始された後に受信装置１１と送信装置２２との間でのメディアデータの送受信が開始されているが、その順番はこれに限られず、これらが同時に行われてもよい。
【０１２７】
このように、本実施例によると、接続が確立したあとのメディアデータの転送を、受信装置側からの要求に応じて送信装置側が転送するＨＴＴＰ（Ｈｙｐｅｒ  Ｔｅｘｔ  Ｔｒａｎｓｆｅｒ  Ｐｒｏｔｏｃｏｌ）のようなプロトコルを使用する場合においても、第１の実施例と同様の効果を得ることが可能である。
【実施例４】
【０１２８】
以下に第４の実施例を説明する。本実施例において、機器の構成は第３の実施例と同様であり、図２に示す通りである。第３の実施例と同様、接続が確立したあとのメディアデータの転送を、受信装置側からの要求に応じて送信装置側が転送する。以下、第３の実施例との同様の部分については説明を省略する。
【０１２９】
第３の実施例との違いは、ＩＮＶＩＴＥメッセージを送信装置１２が送出する点にある。以下、図１０を用いて本実施例によるセッションの開始手順を説明する。ここでは、拠点Ａを発信側拠点、拠点Ｂを着信側拠点として説明する。ここに示される処理は、受信装置、送信装置、送受信装置の制御部１１５、１２５が装置内の各部を制御することにより実現される。
【０１３０】
通信を開始する前は、受信装置１１、送信装置１２、送信装置２２、および受信装置２１の各装置は、「ＩＤＬＥ状態」（待機状態）となっている。
【０１３１】
ここで、拠点ＡのユーザＵＡが受信装置１１（例えばＴＶ受像機）に対し、発信先としてＢ１を指定して発信操作を行う。
【０１３２】
受信装置１１は、ユーザＵＡの発信操作を受けて、送信装置１２に対し、通信開始指示を与える。この通信開始指示には、発信先である受信装置２１のアドレス情報Ｂ１を含めて指示する。
【０１３３】
送信装置１２は、上記送信開始指示を受けて、受信装置２１に対して、通信の開始を要求するＩＮＶＩＴＥメッセージを送出する。このＩＮＶＩＴＥメッセージには、発信元である拠点Ａ側のメディアデータの受信アドレスとして受信装置１１のアドレス情報（Ａ１）、および拠点Ａ側のメディアデータの送信アドレスとして送信装置１２のアドレス（Ａ２）をそれぞれ含めて送信する。
【０１３４】
拠点Ｂ側の受信装置２１では、上記ＩＮＶＩＴＥメッセージを受け取り、拠点Ａからの通信開始要求を認識する。これを受け、受信装置２１では、音や画面表示により、拠点ＢのユーザＵＢに着信を知らせるとともに、受話操作を促す。
【０１３５】
なおこの際、受信装置２１は送信装置１２に対し、呼び出し中であることを示すＴｒｙｉｎｇあるいはＲｉｎｇｉｎｇメッセージを通知しても良い。この場合、送信装置１２に対して通知されたＴｒｙｉｎｇあるいはＲｉｎｇｉｎｇメッセージにより受信装置１１が呼び出し中であることをユーザに通知（表示画面に表示する、音声により通知する等）するようにしてもよい。
【０１３６】
ユーザＵＢが受話操作を行って、着信を許可すると、受信装置２１は「接続中状態」に移行する。さらに受信装置２１は、着信を承諾するＯＫメッセージを送信装置１２に対して送信する。このＯＫメッセージには着信側である拠点Ｂ側のメディアデータの受信アドレスとして受信装置２１のアドレス情報（Ｂ１）、および拠点Ｂ側のメディアデータの送信アドレスとして送信装置２２のアドレス（Ｂ２）をそれぞれ含めて送信する。
【０１３７】
さらに、受信装置２１は、送信装置２２に対し、メディアデータの送信を許可する指示を与える。なお、「接続中状態」への移行と、送信装置１２へのＯＫメッセージの送信と、送信装置２２に対するメディアデータの送信を許可する指示との順番はこれに限られず、これらが同時に行われてもよい。
【０１３８】
送信装置１２は、受信装置２１からＯＫメッセージを受け取ると、「接続中状態」に移行する。さらに送信装置１２は、受信装置１１に対し、メディアデータを受信する指示を与える。この受信指示には、メディアデータの送信元である送信装置２２のアドレス情報Ｂ２を含めて指示する。なお、「接続中状態」への移行と、受信装置１１に対するメディアデータの受信指示との順番はこれに限られず、これらが同時に行われてもよい。
【０１３９】
受信装置１１は、送信装置１２からメディアデータの受信指示を受け取ると、「接続中状態」に移行する。
【０１４０】
受信装置２１は、上記ＩＮＶＩＴＥメッセージに含まれる送信装置１２のアドレスＡ２に対し、メディアデータ送信要求を送る。
【０１４１】
送信装置１２は、「接続中状態」に移行後に、受信装置２１からのメディアデータ送信要求を受け取ると、内蔵のカメラおよびマイクによって映像および音声を撮影し、符号化したメディアデータを、受信装置２１に対し、送出を開始する。
【０１４２】
受信装置２１は、送信装置１２から送信されたメディアデータを受信し、復号化した映像および音声を出力する。
【０１４３】
一方送信装置２２は、受信装置２１からメディアデータの送信許可指示を受け取ると、「接続中状態」に移行する。
【０１４４】
受信装置１１は、上記受信指示に含まれる送信装置２２のアドレスＢ２に対し、メディアデータ送信要求を送る。
【０１４５】
送信装置２２は、「接続中状態」に移行後に、受信装置１１からのメディアデータ送信要求を受け取ると、内蔵のカメラおよびマイクによって映像および音声を撮影し、符号化したメディアデータを、受信装置１１に対し、送出を開始する。
【０１４６】
受信装置１１は、送信装置２２から送信されたメディアデータを受信し、復号化した映像および音声を出力する。
【０１４７】
なお、図１０では送信装置１２と受信装置２１との間でのメディアデータの送受信が開始された後に受信装置１１と送信装置２２との間でのメディアデータの送受信が開始されているが、その順番はこれに限られず、これらが同時に行われてもよい。
【０１４８】
このように、本実施例によっても、第３の実施例と同様の効果を得ることが可能である。
【図面の簡単な説明】
【０１４９】
【図１】セッションの開始手順の一例を示す図である。
【図２】メディアデータ通信システムを示す図である。
【図３】セッションの切断手順の一例を示す図である。
【図４】メディアデータ通信システムを示す図である。
【図５】セッションの開始手順の一例を示す図である。
【図６】セッションの開始手順の一例を示す図である。
【図７】セッションの切断手順の一例を示す図である。
【図８】セッションの切断手順の一例を示す図である。
【図９】セッションの開始手順の一例を示す図である。
【図１０】セッションの開始手順の一例を示す図である。
【図１１】送信装置の構成の一例を示す図である。
【図１２】受信装置の構成の一例を示す図である。
【図１３】送受信装置の構成の一例を示す図である。
【符号の説明】
【０１５０】
１…拠点Ａ、２…拠点Ｂ、３…ネットワーク、１１…受信装置、１２…送信装置、１３…ネットワーク、２１…受信装置、２２…送信装置、２３…ネットワーク、２４…送受信装置
【図１】
2010081279.tif 000003
【図２】
2010081279.tif 000004
【図３】
2010081279.tif 000005
【図４】
2010081279.tif 000006
【図５】
2010081279.tif 000007
【図６】
2010081279.tif 000008
【図７】
2010081279.tif 000009
【図８】
2010081279.tif 000010
【図９】
2010081279.tif 000011
【図１０】
2010081279.tif 000012
【図１１】
2010081279.tif 000013
【図１２】
2010081279.tif 000014
【図１３】
2010081279.tif 000015